(57)【要約】【課題】肢体の穿刺部位を圧迫している際に、安全にかつ簡単に圧迫力の低減を行うことができる止血器具を提供する。【解決手段】止血器具１は、肢体の止血すべき部位に巻き付けて固定される帯体２と、帯体２に連結されており、流体を注入することで拡張して部位の止血のための圧迫力を部位に与える拡張部材としてのバルーン５（補助バルーン６）と、拡張部材の圧迫力を低減する際に拡張部材内の一定量の流体を抜く圧力低減部材１５０と、拡張部材に流体を注入する流体供給部材（シリンジ２００）と、を備える。この圧力低減部材１５０は、一定量の流体を収容するための収容室（例えば第１収容室ＳＰ１、第２収容室ＳＰ２）と、拡張部材と収容室を仕切っており、移動されることで拡張部材と収容室をつなげて拡張部材内の流体を収容室に導くための仕切り部材１６０とを有する。【選択図】図４
2015188608.tif 000002
【特許請求の範囲】
【請求項１】
肢体の止血すべき部位に巻き付けて固定される帯体と、
前記帯体に連結されており、流体を注入することで拡張して前記部位の止血のための圧迫力を前記部位に与える拡張部材と、
前記拡張部材に前記流体を注入するための注入路の端部に設けられたコネクタと、
前記コネクタに嵌合可能な第１突出部を有する流体供給部材と、
前記第１突出部と同じ形状を有する前記コネクタに嵌合可能な第２突出部を有し、前記拡張部材の前記圧迫力を低減する際に前記拡張部材内の一定量の前記流体を抜く圧力低減部材と、を備え、
前記コネクタは、
前記コネクタ内に前記流体の流路を閉じている弁体を有しており、
前記弁体は、前記圧力低減部材の前記第２突出部が前記コネクタ内に挿入して接続されると、前記第２突出部により前記弁体が押されて前記コネクタ内の前記流体の流路が開くように構成されており、
前記圧力低減部材は、
前記一定量の前記流体を収容するための収容室を有し、
前記拡張部材が拡張している際、前記第２突出部を前記コネクタに嵌合すると、圧力の差により、前記拡張部材から前記収納室に前記流体が流入する、
ことを特徴とする止血器具。
【請求項２】
前記圧力低減部材は、前記収納室を有する本体容器と、
前記拡張部材と前記本体容器の前記収容室を仕切っており、移動されることで前記拡張部材と前記収容室をつなげて前記拡張部材内の前記流体を前記収容室に導くことで前記拡張部材の圧迫力を低減するための仕切り部材と、
を有することを特徴とする請求項１に記載の止血器具。
【請求項３】
前記圧力低減部材は、複数の前記収容室と、前記拡張部材と前記拡張部材に最も近い位置にある前記収容室との間を仕切るための前記仕切り部材と、各前記収容室同士の間を仕切るための前記仕切り部材と、を有することを特徴とする請求項１または２に記載の止血器具。
【請求項４】
前記コネクタは、前記圧力低減部材の前記第２突出部を固定的に接続もしくは着脱可能に接続する第１コネクタ部分と、前記拡張部材に前記流体を注入して前記拡張部材を拡張させる流体供給部材の前記第１突出部を固定的に接続もしくは着脱可能に接続する第２コネクタ部分とを有することを特徴とする請求項１〜３のいずれか１項に記載の止血器具。
【請求項５】
前記仕切り部材は、前記圧力低減部材の外側へ引き出されると、前記拡張部材と前記収容室の間を仕切っている状態、あるいは各前記収容室同士の間を仕切っている状態を解除することを特徴とする請求項２または３に記載の止血器具。
【発明の詳細な説明】
【技術分野】
【０００１】
本発明は、腕等の穿刺部位を圧迫して止血する止血器具に関する。
【背景技術】
【０００２】
術者が、カテーテル等を、患者の肢体の腕や脚の穿刺部位に導入されたイントロデューサーシースの内腔を通じて、経皮的に血管等の病変部に挿入することで、治療・検査等を行った場合には、そのイントロデューサーシースを抜去した後の穿刺部位を止血する必要がある。
この穿刺部位の止血を行うために、空気注入型の圧迫用の止血器具が用いられる。この止血器具の帯体は、腕や脚に形成された穿刺部位に巻き付けて固定し、シリンジ等から空気をこの帯体のバルーンに注入してバルーンによる圧迫力により穿刺部位を圧迫するようになっている（特許文献１を参照）。
ところで、時間が経過すると血管の穴が血栓で塞がれるので、止血器具によりこのままの圧迫力で圧迫すると血管の血流を阻害したり、しびれや痛みを生じる場合がある。このため、止血器具による圧迫力を定期的に低減させる操作、すなわちバルーンの減圧をする操作を手動で行いながら、数時間かけて止血する。
【先行技術文献】
【特許文献】
【０００３】
【特許文献１】特開２００５−２１８５９３号公報
【発明の概要】
【発明が解決しようとする課題】
【０００４】
上述したように止血器具による圧迫力を定期的に低減する際には、シリンジが使用され、バルーン内の圧縮空気をシリンジ内に戻すことが行われる。ところが、止血器具とシリンジとを接続する際に、シリンジの押子の位置を確実に保持しておかないと、空気圧により押子が押されて、止血器具のバルーン内の圧縮空気がシリンジ内に一気に流入してしまうことがある。このようにバルーン内の圧縮空気がシリンジ内に一気に流入してしまうと、バルーンによる圧迫力が急激に低下してしまうので、穿刺部位を十分に圧迫できなくなり、穿刺部位から再出血が起こるおそれがあるので、術者は取扱い上注意が必要になる。
そこで、本発明は、肢体の止血すべき部位を圧迫している際に、安全にかつ簡単に圧迫力の低減を行うことができる止血器具を提供することを目的とする。
【課題を解決するための手段】
【０００５】
本発明の止血器具は、肢体の止血すべき部位に巻き付けて固定される帯体と、前記帯体に連結されており、流体を注入することで拡張して前記部位の止血のための圧迫力を前記部位に与える拡張部材と、前記拡張部材に前記流体を注入するための注入路の端部に設けられたコネクタと、前記コネクタに嵌合可能な第１突出部を有する流体供給部材と、前記第1突出部と同じ形状を有する前記コネクタに嵌合可能な第２突出部を有し、前記拡張部材の前記圧迫力を低減する際に前記拡張部材内の一定量の前記流体を抜く圧力低減部材と、を備え、前記コネクタは、前記コネクタ内に前記流体の流路を閉じている弁体を有しており、前記弁体は、前記圧力低減部材の前記第２突出部が前記コネクタ内に挿入して接続されると、前記第２突出部により前記弁体が押されて前記コネクタ内の前記流体の流路が開くように構成されており、前記圧力低減部材は、前記一定量の前記流体を収容するための収容室を有し、前記拡張部材が拡張している際、前記第２突出部を前記コネクタに嵌合すると、圧力の差により、前記拡張部材から前記収納室に前記流体が流入する、ことを特徴とする。
上記構成によれば、術者は、止血器具を用いて止血すべき部位の止血を行っている際、拡張部材から一定量の流体を収容室側に抜くことで、拡張部材による止血すべき部位への圧迫力の低減を行うことができる。具体的には、術者は、止血器具の拡張部材内の圧力と圧力低減部材の収納室内の圧力の差を利用することにより、圧力低減部材の第２突出部を止血器具のコネクタに接続するという簡単な操作で、拡張部材による止血すべき部位への圧迫力の低減を行うことができる。また、圧力低減部材は、収納室の容量が一定であるため、圧力低減部材の第２突出部を止血器具のコネクタに接続する際、拡張部材内の流体が収納室の容量分だけ収納室に流入し、必要以上に拡張部材の圧力が低減することはない。従って、本発明では、拡張部材の急激な圧迫力の低減や再出血を生じるおそれを抑制することができる。そのため、本発明は、肢体の止血すべき部位を圧迫している際、安全にかつ簡単に圧迫力の低減を行うことができる。
また、流体供給部材及び圧力低減部材は、コネクタと接続可能な同じ形状の突出部（第１突出部、第２突出部）を有している。そのため、流体供給部材及び圧力低減部材と異なる形状の突出部を有する医療器具が、止血器具のコネクタに誤接続されることがない。従って、術者は、圧力低減部材による圧力の低減を安全に行うことができる。なお、この効果は、本発明の流体供給部材及び圧力低減部材の突出部が、一般的なシリンジのルアーテーパの形状と異なるために生じる。
なお、本明細書で「流体」とは、気体だけでなく液体も含むものである。
【０００６】
好ましくは、前記圧力低減部材は、前記収納室を有する本体容器と、前記拡張部材と前記本体容器の前記収納室を仕切っており、移動されることで前記拡張部材と前記収納室をつなげて前記拡張部材内の前記流体を前記収納室に導くことで前記拡張部材の圧迫力を低減するための仕切り部材と、を有することを特徴とする。
上記構成によれば、術者は、拡張部材から小容量の流体を短い時間の間隔で抜いて減圧したい場合や拡張部材から大容量の流体を長い時間の間隔で抜いて減圧したい場合、仕切り部材を引き出して複数の収納室を連結することにより、圧力低減部材の収納室の容量を調整し、拡張部材の減圧を任意に調整できる。例えば、拡張部材から大容量の流体を取り除いて減圧したい場合には、圧力低減部材の仕切り板の一部を引き出して収納室の容量を増加させることで、コネクタと第２突出部の接続回数を減し、術者の手間を軽減することができる。
また、圧力低減部材は、拡張部材から小容量の流体を短い時間の間隔で抜いて減圧したい場合には、圧力低減部材の第２突出部とコネクタとを接続した状態で放置しておき、定期的に仕切り板を取り除くことで、拡張部材の減圧を調整してもよい。
【０００７】
また上記構成によれば、本発明は、コネクタ内に弁体に有しているため、第２突出部がコネクタ内に挿入して接続されるだけで、コネクタ内の流体の通路を開くことができる。そのため、術者が仕切り部材を移動すれば、拡張部材内の流体は、コネクタを通じて圧力低減部材側にコネクタ内の流体の通路を通じて出すことができる。
【０００８】
好ましくは、前記圧力低減部材は、複数の前記収容室と、前記拡張部材と前記拡張部材に最も近い位置にある前記収容室との間を仕切るための前記仕切り部材と、各前記収容室同士の間を仕切るための前記仕切り部材と、を有することを特徴とする。
上記構成によれば、圧力低減部材は、複数の収容室を有しているので、拡張部材と拡張部材に最も近い位置にある収容室との間を仕切るための仕切り部材と、各収容室同士の間を仕切るための仕切り部材を、時間をおいて順次移動することで、肢体の止血すべき部位の圧迫力を少しずつ容易に低減することができる。
【０００９】
好ましくは、前記コネクタは、前記圧力低減部材の前記第２突出部を固定的に接続もしくは着脱可能に接続する第１コネクタ部分と、前記拡張部材に前記流体を注入して前記拡張部材を拡張させる流体供給部材の前記第１突出部を固定的に接続もしくは着脱可能に接続する第２コネクタ部分とを有することを特徴とする。
上記構成によれば、流体供給部材と圧力低減部材との差し替え作業が不要になるため、術者は、圧力低減部材を第１コネクタ部分に固定的に接続することで、圧力低減処置を容易に行うことができる。
【００１０】
好ましくは、前記仕切り部材は、前記圧力低減部材の外側へ引き出されると、前記拡張部材と前記収容室の間を仕切っている状態、あるいは各前記収容室同士の間を仕切っている状態を解除することを特徴とする
上記構成によれば、術者は、仕切り部材を圧力低減部材の外側に引き出すだけで、拡張部材と収容室の間を仕切っている状態、あるいは各収容室同士の間を仕切っている状態を解除できるので、圧迫力低減処置が容易に行える。
【発明の効果】
【００１１】
本発明は、肢体の穿刺部位を圧迫している際に、安全にかつ簡単に圧迫力の低減を行うことができる止血器具を提供することができる。
【図面の簡単な説明】
【００１２】
【図１】本発明の止血器具の第１実施形態を示しており、この止血器具を例えば患者の手首に装着する際の帯体の内面側（肌に接触する面側）を示す図である。
【図２】図２は、図１に示す止血器具を手首に巻いて装着した状態を示す断面図である。
【図３】コネクタの形状例と、圧力低減部材の形状例を示す断面図である。
【図４】圧力低減部材の使用例を示す図である。
【図５】本発明の第２実施形態を示す図である。
【図６】本発明の第３実施形態を示す図である。
【図７】本発明の第４実施形態を示す図である。
【発明を実施するための形態】
【００１３】
以下に、本発明の好ましい実施形態を、図面を参照して詳しく説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
（第１実施形態）
図１は、本発明の止血器具の第１実施形態を示している。図１は、この止血冶具１を患者の肢体の止血すべき部位である例えば手首に装着する際に、帯体２の内面側（肌に接触する面側）となる面を示す図である。図２は、図１に示す止血器具１を手首Ｈに巻いて装着した状態を示す断面図である。
【００１４】
図１に示す止血器具１は、図２に例示するように、患者の肢体の止血すべき部位である手首Ｈに巻くことにより、手首Ｈに形成されている穿刺部位１００を圧迫して止血する。穿刺部位１００は、治療や検査等を行うカテーテル等を血管内に挿入する目的で手首Ｈに形成され、止血器具１は、穿刺部位１００に留置されていたイントロデューサーシースを抜去した後に、その穿刺部位１００を圧迫して止血する。
【００１５】
この止血器具１は、手首Ｈに巻き付けるための帯体２と、面ファスナー３と、補強板４と、拡張部材の例としてのバルーン５と、拡張部材の例としての補助バルーン６と、マーカー７と、圧力低減部材１５０と、流体供給部材の例としてのシリンジ２００等を有している。面ファスナー３は、この帯体２を手首Ｈに巻き付けた状態で着脱可能に固定するための固定手段である。バルーン５と補助バルーン６は、空気を送り込むことで拡張する。
帯体２は、可撓性を有する帯状の部材である。図２に示すように、帯体２は、手首Ｈの外周囲を一周するように巻き付けられる。帯体２は、手首Ｈに巻き付けられた状態を保持するために、帯体２の重ね合わせ部分が後述する面ファスナー３によって、着脱可能に固定されるようになっている。
【００１６】
帯体２の構成材料としては、術者が、帯体２を通して、穿刺部位１００を視認できる材料であれば特に限定されず、例えば、ポリ塩化ビニル、ポリエチレン、ポリプロピレン、ポリブタジエン、エチレン−酢酸ビニル共重合体（ＥＶＡ）のようなポリオレフィン、ポリエチレンテレフタレート（ＰＥＴ）、ポリブチレンテレフタレート（ＰＢＴ）のようなポリエステル、ポリ塩化ビニリデン、シリコーン、ポリウレタン、ポリアミドエラストマー、ポリウレタンエラストマー、ポリエステルエラストマー等の各種熱可塑性エラストマー、あるいはこれらを任意に組み合わせたもの（ブレンド樹脂、ポリマーアロイ、積層体等）が挙げられる。
なお、帯体２は、実質的に透明であることが好ましい。これにより、術者は、帯体２を通して、穿刺部位１００を外側から確実に視認することができ、後述するマーカー７を穿刺部位１００に対して容易に位置合わせすることができる。これにより、帯体２を手首Ｈに対して正確に位置決めできる。
【００１７】
図１と図２に示すように、帯体２の中央部には、後述する補強板保持部２１が形成されている。この補強板保持部２１は、後で説明する補強板４を収容して保持する役割を有する。別個の帯体部材２１Ａが、帯体２の外面側（または帯体２の内面側）に対して、融着（熱融着、高周波融着、超音波融着等）、または接着（接着剤や溶媒による接着）等の方法により接合されている。従って、補強板保持部２１は、帯体２と別個の帯体２１Ａとにより二重になるように構成されている。これにより、補強板４は、帯体２と別個の帯体部材２１Ａとの間の隙間に挿入することで、動かないように確実に保持されている。
【００１８】
図１に示す帯体２の左端付近の部分の内面側には、一般にマジックテープ（登録商標）等と呼ばれる面ファスナー３のオス部材（またはメス部材）３１が設けられている。図１に示す帯体２の右端付近の部分の内面側には、面ファスナー３のメス部材（またはオス部材）３２が設けられている。図２に示すように、面ファスナー３の例えばオス部材３１とメス部材３２とを接合することにより、帯体２が手首Ｈの外周囲に巻き付けられた状態で、手首Ｈに対して着脱可能に装着できる。
なお、帯体２の固定手段としては、図１に示した面ファスナー３に限らず、例えばスナップ、ボタン、クリップ、帯体２の端部に通す枠部材であっても良い。
【００１９】
図２に示すように、補強板４は、上述したように、帯体２の二重に形成された補強板保持部２１の間に挿入されることにより帯体２に保持されている。湾曲している補強板４は、その少なくも一部が内周面側に向かって湾曲した形状を有している。補強板４は、帯体２よりも硬質な材料で作られており、ほぼ一定の形状を保つ。
図１に示すように、補強板４は、帯体２の長手方向に長い形状を有している。図２に示すように、補強板４の長手方向の中央部４１は、ほとんど湾曲しておらず平板状になっている。この中央部４１の両側には、それぞれ内周側に向かって、しかも帯体２の長手方向（手首Ｈの周方向）に沿って湾曲した湾曲部４２が形成されている。この湾曲部４２の曲率半径Ｒ２は、中央部４１の曲率半径Ｒ１（図示の構成では、曲率半径Ｒ１はほぼ無限大）より小さい。
【００２０】
補強板４の構成材料としては、術者が、補強板４を通して、穿刺部位１００を視認できる材料であれば特に限定されず、例えば、アクリル樹脂、ポリ塩化ビニル（ 特に硬質ポリ塩化ビニル）、ポリエチレン、ポリプロピレン、ポリブタジエンのようなポリオレフィン、ポリスチレン、ポリ−（４−メチルペンテン−１）、ポリカーボネート、ＡＢＳ樹脂、ポリメチルメタクリレート（ＰＭＭＡ）、ポリアセタール、ポリアクリレート、ポリアクリロニトリル、ポリフッ化ビニリデン、アイオノマー、アクリロニトリル−ブタジエン−スチレン共重合体、ポリエチレンテレフタレート（ＰＥＴ）、ポリブチレンテレフタレート（ＰＢＴ）のようなポリエステル、ブタジエン−スチレン共重合体、芳香族または脂肪族ポリアミド、ポリテトラフルオロエチレン等のフッ素系樹脂等が挙げられる。
補強板４は実質的に透明であることが好ましい。これにより、術者は、帯体２と補強板４を通して、穿刺部位１００を外側から確実に視認することができ、後述するマーカー７を穿刺部位１００に容易に位置合わせすることができる。なお、補強板４の形状としては、中央部４１のような湾曲していない部分を有さないもの、すなわち、その全長に渡り湾曲しているものであってもよい。
【００２１】
図１と図２に示すように、バルーン５が帯体２の内面側（患者の肌に接する側）に連結されている。このバルーン５は、可撓性を有する材料で作られており、バルーン５は、空気（流体の一例）を注入することにより拡張させることができる拡張部材の一例である。これにより、帯体２と手首Ｈの間で、バルーン５内に空気を注入することでバルーン５を拡張動作させることにより、手首Ｈの穿刺部位１００を圧迫することができる。
【００２２】
図２に示すように、バルーン５は、帯体２の内面側に対して、可撓性を有する連結部１１を介して連結されている。しかもバルーン５は、帯体２の内面側において、補強板４の長手方向の一端側に片寄って位置されている。このバルーン５は、図２に示すように、補強板４のほぼ右半分側の部分に重なるように位置されている。バルーン５は、例えば上述した材料から成るシート材の縁部を融着または接着することによりシールして袋状に形成したものである。このバルーン５は、空気を注入して拡張していない状態では、四角形を成している。
【００２３】
図２に示すように、連結部１１の長さは、比較的短くなっていることで、バルーン５が補強板４に対して片寄った位置に位置決めされている。バルーン５は、帯体２と同質または同様の材料で形成されていることが好ましい。連結部１１を形成する材料は、バルーン５を形成する材料と同じであるのが好ましい。これにより、バルーン５は、連結部１１を用いて帯体２の内面側に対して融着により接合することが容易にできる。
【００２４】
バルーン５を形成する材料としては、術者が、帯体２と補強板４とバルーン５を通じて、外側から穿刺部位１００を視認できる材料であれば特に限定されない。特に、帯体２とバルーン５は、実質的に透明であることが好ましい。これにより、術者は、帯体２と補強板４とバルーン５を通じて、外側から穿刺部位１００を確実に視認できる。しかも、帯体２とバルーン５を通じて、外側からマーカー７を穿刺部位１００に対して容易に位置決めすることができる。
【００２５】
図１と図２に示すように、バルーン５の内面側には、マーカー７が設けられている。すなわち、このマーカー７は、穿刺部位１００に接触する面側に設けられている。このマーカー７をバルーン５の内面側に設けることにより、術者は、患者の手首Ｈの穿刺部位１００を帯体２と補強板４とバルーン５を通じて、目視で確認しながら、このマーカー７を利用して、バルーン５を穿刺部位１００に対して容易に位置決めできる。このため、バルーン５の位置ずれによる穿刺部位１００からの血液の漏れや、血腫の発生を防ぐことができる。
【００２６】
このマーカー７は、図１に示すように、バルーン５の中心部、すなわちバルーン５の四角形の対角線の交点を中心として設けることが好ましい。これにより、バルーン５の中心部を穿刺部位１００に位置合わせすることが可能であるため、バルーン５を拡張させた際に、バルーン５の圧迫力が穿刺部位１００に対して確実に作用する。マーカー７の形状は、特に限定されず、例えば円、三角形、四角形等が挙げられ、図１では四角形をなしている。
【００２７】
マーカー７の材質は、特に限定されず、例えば、インキ等の油性着色料、色素を混練した樹脂等が挙げられる。バルーン５にマーカー７を設ける方法は特に限定されないが、例えばマーカー７をバルーン５に印刷する方法、マーカー７をバルーン５に融着する方法、マーカー７の片面に接着剤を塗布してバルーン５に貼り付ける方法等が挙げられる。
マーカー７の色は、バルーン５を穿刺部位１００に位置合わせすることができる色できれば特に限定されないが、緑色系が好ましい。緑色系にすることにより、術者は、帯体２と補強板４とバルーン５を通じて、マーカー７を血液や皮膚上で容易に視認することができるため、バルーン５を穿刺部位１００に位置合わせすることがより容易となる。
【００２８】
また、マーカー７は半透明であることが好ましい。これにより、術者は、穿刺部位１００をマーカー７の外側から視認することができる。なお、マーカー７はバルーン５の外面側、すなわちバルーン５の穿刺部位１００と接触する面と反対側（図１の紙面の裏側）に設けてもよい。また、マーカー７をバルーン５に設けるのではなく、帯体２もしくは補強板４あるいは後述する補助バルーン６に設けてもよい。この場合も、マーカー７がバルーン５の中心部に重なるように設ける。
【００２９】
図１と図２に示すように、補助バルーン６は、帯体２の補強板４の湾曲部４２とバルーン５との間に配置されている。この補助バルーン６は、可撓性を有する材料により作られており、バルーン５と重なるように配置されている。この補助バルーン６とバルーン５に空気を注入することで、補助バルーン６は、バルーン５を押圧して圧迫力を与える拡張部材として機能する。
補助バルーン６を形成する材料としては、術者が、穿刺部位１００を視認できる材料であれば良く、バルーン５を形成する材料と同様の材料を採用できる。補助バルーン６は、好ましくは実質的には透明である。これにより、術者は、患者の手首Ｈの穿刺部位１００を帯体２と補強板４と補助バルーン６とバルーン５を通じて目視で確認でき、マーカー７を穿刺部位１００に容易に位置合わせすることができる。
【００３０】
図２に示すように、補助バルーン６は、帯体２の長手方向についての幅がバルーン５よりも小さく形成されていることで、補助バルーン６は、補強板４の湾曲部４２とバルーン５との間に配置されていることで、バルーン５を局所的に押圧するようになっている。これにより、バルーン５から穿刺部位１００への押圧力Ｆの方向をより確実に傾斜させることができる。
そして、補助バルーン６は、湾曲板４の湾曲部４２またはそれより図２中の右側の部分に接触する。これにより、補助バルーン６が湾曲板４から受ける力の方向、換言すれば、補助バルーン６が帯体２を介して接触する部分の補強板４の法線方向は、手首Ｈの中心部Ｇに向かうような方向に傾斜することになる。その結果、押圧力ｆや押圧力Ｆの方向をより確実に傾斜させることができる。
【００３１】
図２に示すように、バルーン５の一部と補助バルーン６の一部とは、互いに融着または接着等の方法により接合されている。そして、その接合部には、バルーン５の内部と補助バルーン６の内部とを連通する連通部（開口部）１２が形成されている。これにより、前述したようにしてバルーン５に流体（空気）を注入すると、注入された流体の一部が連通部１２を介して補助バルーン６内に流入し、バルーン５の拡張に伴って補助バルーン６が拡張する。これにより、１回の空気注入操作でバルーン５と補助バルーン６を拡張させることができ、空気注入の操作性に優れている。
【００３２】
図２に示すように、この補助バルーン６は、固着部１３を介して、バルーン５の連結部１１と同じ側（図２中の右側位置）でしかも帯体２の内面側に連結されている。これにより、補助バルーン６がより容易かつ確実に傾斜した姿勢になるため、バルーン５に対する押圧力ｆが傾斜した方向（バルーン５をほぼ手首Ｈの中心部Ｇに向かわせるような方向）により作用し易くなり、より優れた止血効果が得られる。
なお、バルーン５を押圧する押圧部材は、補助バルーン６に限らず、例えば、スポンジ状の物質、弾性材料、綿（わた）のような繊維の集合体、またはこれらの組み合わせなどによって形成されたパッドのような部材であっても良い。
【００３３】
次に、図１に示す空気（流体）の注入部５０について説明する。
この注入部５０は、チューブ５１と、袋体５２を有している。このチューブ５１は可撓性を有するチューブであり、チューブ５１の一端部５１Ａは、バルーン５の接続部５Ｒに接続されている。チューブ５１の他端部５１Ｂは、袋体５２の接続部５２Ａに接続されている。袋体５２は、一端部には接続部５２Ａを有しており、他端部にはコネクタ６０を有している。なお、注入部５０は、コネクタ６０からバルーン５までの注入路を形成している。
【００３４】
図３は、このコネクタ６０の断面形状例と、圧力低減部材１５０の構成例を示している。図３に示すように、コネクタ６０は、テーパー形状の内周面部分６１を有しており、例えばこのコネクタ６０の内周面部分６１内には、流体の通路（空気の通路）７７が形成されている。流体の通路７７には、流体の通路７７を開閉可能な弁体７０が配置されている。この弁体７０は、可撓性を有する材料で作られており、通常は内周面部分６１内の流体の通路７７を閉じることで流体（空気）を通さない構造になっている。
また、弁体７０は、図１に示す次に説明する流体供給部材としてのシリンジ２００の第１突出部２０２あるいは圧力低減部材１５０の第２突出部１５２を、コネクタ６０内に差し込むことで、図３に示すようにＤ方向に押されるようになっている。これにより、弁体７０はＤ方向に押されて流体の通路７７を開くことで、コネクタ６０の内周面部分６１の流体の通路７７に流体（空気）を通すことができるようになっている。
ただし、図３では、弁体７０は、内周面部分６１に配置されているが、これに限らず、弁体７０の配置位置は、他の部位であっても良い。
【００３５】
圧力低減部材１５０の第２突出部１５２は、流体供給部材としてのシリンジ２００の第１突出部２０４と同じ形状である。また、コネクタ６０は、第１突出部２０４及び第２突出部１５２を挿入する接続部の内周面が、第１突出部２０４及び第２突出部１５２の外周面のテーパー角度と同様のテーパー角度になるように構成することが好ましい。これにより、術者は、コネクタ６０の内周面と第１突出部２０４及び第２突出部１５２の外周面を液密に接続することができる。また、第１突出部２０４及び第２突出部１５２を同じ形状にし、かつ、一般的なシリンジの形状と異ならせることにより、術者は、手技中に他の医療器具（例えば、第１突出部２０４と異なる形状の突出部を流体注入部２０２に有するシリンジ）を、止血器具のコネクタ６０に誤って挿入することがない。
【００３６】
シリンジ２００の第１突出部２０４は、シリンジ２００の流体注入部２０２の先端部に設けられている。例えば、第１突出部２０４は、シリンジ２００の流体注入部２０２に第１突出部２０４を形成するように加工したり、シリンジ２００の流体注入部２０２の先端部に第１突出部２０４を有するキャップを装着したりすることにより形成してもよい。なお、第１突出部２０４は、シリンジ２００の流体注入部２０２の先端部に第１突出部２０４を有するキャップを装着することにより形成することが好ましい。このような構成にすることにより、簡単な操作でシリンジ２００に第１突出部２０４を形成することができる。
【００３７】
圧力低減部材１５０の第２突出部１５２は、圧力低減部材１５０の収容室１５０に連通するように設けられており、第１突出部２０４と同じ形状である。なお、圧力低減部材１５０の第２突出部１５２は、圧力低減部材１５０の先端開口部が第２突出部１５２を形成するように加工してもよいし、第２突出部１５２を有するキャップを装着することにより形成してもよい。
【００３８】
次に、図１を参照して、流体供給部材であるシリンジ２００の構造例を説明する。
図１に示すシリンジ２００は、バルーン５と補助バルーン６内に空気を供給する流体供給部材である。シリンジ２００は、円筒状の本体部２０１と、第１突出部２０４を有する流体注入部２０２と、押子２０３を有している。本体部２１０の一端部には、第１突出部２０４を有する流体注入部２０２が設けられている。本体部２０１の内部には押子２０３が挿入されている。第１突出部２０４は、コネクタ６０内に差し込むことで、袋体５２に接続することができる。このように、第１突出部２０４は、コネクタ６０内に差し込むと、図３に示す弁体７０はＤ方向に押される。これにより、弁体７０はＤ方向に押されて流体の通路７７を開くことで、コネクタ６０の内周面部分６１に流体（空気）を通すことができるようになっている。
そして、術者が押子２０３を押すことで、本体部２０１内の空気（流体）は、本体部２０１から第１突出部２０４までの流体の通路と、図３に示すコネクタ６０の内周面部分６１の流体の通路７７を通じて、しかも袋体５２とチューブ５１を介して、バルーン５と補助バルーン６内に注入できるようになっている。
【００３９】
次に、圧力低減部材１５０の構造例を、図１と図３と図４を参照して説明する。
図４は、圧力低減部材１５０の使用例を示している。
図１に示す上述した空気注入型の圧迫用の止血器具１の帯体２を使用して、図２に示す穿刺部位１００を止血する際に、時間が経過すると血管の穴が血液で塞がれるので、止血器具によりこのままの初期に設定された圧迫力で圧迫すると、血管の血流を阻害し、しびれや痛みを生じる場合がある。
このため、術者は、止血器具による圧迫力を定期的に低減させる操作、すなわちバルーンの減圧をする操作を手動で行いながら、数時間かけて穿刺部位１００を止血する。図１と図３に示す圧力低減部材１５０は、術者の操作により、止血器具１による穿刺部位１００に対する圧迫力を定期的に低減することにより、数時間かけて止血するために用いられる。
【００４０】
図３に示すように、圧力低減部材１５０は、本体容器１５１と、取り付け用の第２突出部１５２と、仕切り部材１６０を有している。圧力低減部材１５０は圧迫力低減部材とも呼ぶこともできる。この圧力低減部材１５０は、シリンジ２００と同じ材質で作ることができ、例えばプラスチックやガラス等により作られている。本体容器１５１は、円筒部分１５３と、底部１５４と、開口部１５５を有している。第２突出部１５２は、断面が円形形状であり、先細りのテーパー形状になっており、先細りの筒部１５２Ａを有している。図３から図４（Ａ）に示すように、筒部１５２Ａは、コネクタ６０の内周面部分６１内に、着脱可能にはまり込むようになっている。なお、この第２突出部１５２は、図１に示すシリンジ２００の第１突出部２０４と同じ形状で同じ大きさであることが好ましい。具体的には、第２突出部１５２の筒部１５２Ａは、図６に示すシリンジの第１突出部２０４の先細りの筒部２０４Ａと同じ形状で同じ大きさであることが好ましい。
図４（Ａ）に示すように、圧力低減部材１５０の第２突出部１５２の筒部１５２Ａがコネクタ６０の内周面部分６１にはまり込むと、第２突出部１５２の筒部１５２Ａは、図３から図４（Ａ）に示すように、弁体７０をＤ方向に押す。これにより、弁体７０はＤ方向に押されて開くことで、コネクタ６０の内周面部分６１の流体の通路７７を開けて空気を通すことができる。
【００４１】
図３と図４（Ａ）に示すように、圧力低減部材１５０は、例えば２つの仕切り部材１６０を有している。これらの仕切り部材１６０は、円筒部分１５３において間隔をおいて配置されている。各仕切り部材１６０は、板状の部材であり、操作用の頭部１６１とストッパ１６２を有している。各仕切り部材１６０は、円筒部分１５３内の空間を、複数の第１収容室ＳＰ１と第２収容室ＳＰ２に区分するために配置されている。各仕切り部材１６０は、Ｔ方向にスライド可能になっている。Ｔ方向は、圧力低減部材１５０の長手方向に対して直交する方向であり、Ｄ方向とも直交している。各収納室の収納容量は、例えば０．５ｍＬ程度で、収納室全体の容量は、例えば１．０〜２．０ｍＬ程度であるが、特に限定されない。例えば、図３では、第１収容室ＳＰ１と第２収容室ＳＰ２における流体（空気）の収容容量は、例えば０．５ｍＬ程度である。
【００４２】
図３に示すように、各仕切り部材１６０が円筒部分１５３に挿入されている状態では、円筒部分１５３内の空間は、複数の第１収容室ＳＰ１と第２収容室ＳＰ２に区切られている。術者は、この仕切り部材１６０の操作用の頭部１６１を指で掴んでＴ方向にスライドして引く出すことで、円筒部分１５３内を開けることができる。
図４（Ａ）から図４（Ｂ）に示すように、上部の仕切り部材１６０をＴ方向に引き出すと、バルーン５と補助バルーン６が、コネクタ６０の内周面部分６１内と袋体５２とチューブ５１を通じて、第１収容室ＳＰ１につながる。さらに、下部の仕切り部材１６０をＴ方向に引き出すと、バルーン５と補助バルーン６が、コネクタ６０の内周面部分６１内と袋体５２とチューブ５１を通じて、第１収容室ＳＰ１と第２収容室ＳＰ２の両方に繋がる。これにより、仕切り部材１６０は、操作用の頭部１６１を指で掴んでＴ方向にスライドするだけで、バルーン５と補助バルーン６内の一定量の空気を時間の経過とともに、段階的に抜く操作を容易に行うことができる。
【００４３】
次に、上述した止血器具１の使用例を説明する。
図１に示す止血器具１の帯体２を、図２に示すように患者の例えば手首Ｈに装着するのであるが、装着前では、バルーン５と補助バルーン６には空気は注入されていないので、バルーン５と補助バルーン６は拡張されていない。
図１に示す帯体２を図２に示すように手首Ｈに装着する場合には、通常動脈への穿刺部材１００は、手首Ｈの内側（腱がある側）の親指側へ片寄った位置にある。穿刺部位１００にはイントロデューサーシースが留置されている。このイントロデューサーシースが留置されたままの状態の手首Ｈに帯体２を巻き付けて、バルーン５に設けられているマーカー７が穿刺部位１００上に重なるようにバルーン５を位置合わせする。そして、帯体２の両端部付近を面ファスナー３により固定する。
【００４４】
図１に示す止血器具１を手首Ｈに装着した後、術者は、図３に示す注入部５０のコネクタ６０に対して、シリンジ２００の第１突出部２０４を挿入してはめ込む。シリンジ２００の第１突出部２０４をコネクタ６０の内周面部分６１内に押し込むと、シリンジ２００の第１突出部２０４はコネクタ６０内の弁体７０をＤ方向に押して弁体７０を開ける。
そして、術者が、シリンジ２００の押子２０３を押すことにより、本体部２０１内の空気（流体）を、コネクタ６０の内周面部分６１内の流体（空気）の通路７７と、袋体５２とチューブ５１を介して、バルーン５と補助バルーン６内に注入する。これにより、バルーン５と補助バルーン６は所定の空気圧で拡張する。この空気の注入の際には、空気の注入量により、患者の症例に応じて、バルーン５と補助バルーン６は拡張度合、すなわち穿刺部位１００への圧迫力を調整することができる。
このようにして、バルーン５と補助バルーン６を拡張させると、シリンジ２００の第１突出部２０４をコネクタ６０から外す。これにより、図３に示すコネクタ６０内の弁体７０は内周面部分６１内を閉じることで、空気は漏れない。すなわち、シリンジ２００の第１突出部２０４を外す際には、図３に示す弁体７０は閉じるので、バルーン５と補助バルーン６内の空気が、コネクタ６０から外に漏れることは無い。そして、穿刺部位１００からイントロデューサーシースを抜去する。
【００４５】
図２に示すように、バルーン５と補助バルーン６は拡張状態を維持し、穿刺部位１００への圧迫状態を維持できる。この拡張状態では、バルーン５は穿刺部位１００とその周辺を局所的に押圧するとともに、バルーン５と補助バルーン６の拡張により、補強板４は、手首Ｈの表面から離間して、手首Ｈに接触し難くなる。このため、穿刺部位１００とその周辺が集中して圧迫力を受けるので、止血効果が高いとともに、止血を必要としない他の血管や神経等を圧迫するのを回避できる。このため、手のしびれや血行不良等が生じるのを防止する。
【００４６】
ところで、図１に示す上述した空気注入型の圧迫用の止血器具１の帯体２を使用すると、時間が経過するとともに、穿刺部位１００の血管の穴が血栓で塞がれる。そのため、時間経過とともにバルーン５及び補助バルーン６による血管の圧迫を低減しないと、血管の血流を阻害し、肢体にしびれや痛みを生じる場合がある。このような不都合を避けるために、術者は、止血器具１による圧迫力を定期的に低減させる操作、すなわちバルーン５と補助バルーン６の空気圧の減圧をする操作を手動で行いながら、数時間かけて止血する操作を行う。すなわち、術者は、図１と図３に示す圧力低減部材１５０を用いて、止血器具１による圧迫力を定期的に低減することにより、数時間かけて止血する。
【００４７】
図１に示す圧力低減部材１５０をコネクタ６０に接続するために、図３から図４（Ａ）に示すように、圧力低減部材１５０の取り付け用の第２突出部１５２をコネクタ６０の内周面部分６１内にはめ込んで接続する。このように、取り付け用の第２突出部１５２をコネクタ６０の内周面部分６１内に接続すると、図４（Ａ）に示すように弁体７０は押されるので、コネクタ６０の内周面部分６１内の流体（空気）の通路７７には空気が通る。
【００４８】
そこで、術者は、圧力低減部材１５０を取り付けた時からある時間が経過した時点で、図４（Ａ）から図４（Ｂ）に示すように、上部の仕切り部材１６０の操作用の頭部１６１を掴んで、上部の仕切り部材１６０をＴ方向に引き出す。上部の仕切り部材１６０をＴ方向に引き出す際には、図４（Ｂ）に示すように、ストッパ１６２が第１収容室ＳＰ１の内壁部に突き当たるので、上部の仕切り部材１６０が抜け出てしまうことは無い。このため、仕切り部材が抜け出てしまって第１収容室ＳＰ１内から外に空気が漏れてしまうことを防ぐことができる。
これにより、圧力低減部材１５０の第１収容室ＳＰ１は、コネクタ６０の内周面部分６１内の流体（空気）の通路７７と、袋体５２と、チューブ５１を介して、バルーン５と補助バルーン６の内部とつながる。従って、バルーン５と補助バルーン６内の空気は、第１収容室ＳＰ１の収容容量ぶんだけ入り込む。すなわち、バルーン５と補助バルーン６内の空気の一部が、第１収容室ＳＰ１内に抜かれることから、バルーン５と補助バルーン６による圧迫力を低減することができる。
【００４９】
さらに、時間が経過すると、術者は、図４（Ｂ）に示すように、次の下部の仕切り部材１６０の操作用の頭部１６１を掴んで、下部の仕切り部材１６０をＴ方向に引き出す。下部の仕切り部材１６０をＴ方向に引き出す際には、ストッパ１６２が第２収容室ＳＰ１の内壁部に突き当たるので、下部の仕切り部材１６０が抜け出てしまうことは無い。このため、仕切り部材が抜け出てしまって第１収容室ＳＰ１と第２収容室ＳＰ２内の空気が外に漏れてしまうことを防ぐことができる。
これにより、圧力低減部材１５０の第２収容室ＳＰ２は、第１収容室ＳＰ１と、コネクタ６０と、袋体５２と、チューブ５１を介して、バルーン５と補助バルーン６の内部とつながる。従って、バルーン５と補助バルーン６内の空気は、第２収容室ＳＰ１の収容容量分だけさらに入り込む。すなわち、バルーン５と補助バルーン６内の空気が第２収容室ＳＰ２内にさらに入り込むことから、バルーン５と補助バルーン６による圧迫力をさらに低減することができる。
【００５０】
このように、シリンジ２００に代えて圧力低減部材１５０をコネクタ６０に接続することで、バルーン５と補助バルーン６から一定量の空気を、一定空間の第１収容室ＳＰ１そして第２収容室ＳＰ２内に少しずつ安全に抜いて、バルーン５と補助バルーン６の圧迫力の圧力低減を行うことができる。
圧力低減部材１５０の第１収容室ＳＰ１と第２収容室ＳＰ２は、接続時の止血用の圧迫力により収容容積が変動することが無い一定の収容容積を有しているので、移動自在な押子を有するシリンジを用いる場合に比べて、圧力低減量が変動しない。止血器具１を用いて穿刺部位１００の止血を行う場合に、術者は、止血器具１における定期的な圧迫力の低減を数時間かけて行いながら、穿刺部位１００に対する圧迫力の低減を数時間かけて行うことができ、急激な圧迫力の低減や再出血を生じるおそれが無く、安全にかつ簡単に圧力の低減を行いながら、穿刺部位１００の止血をすることができる。
【００５１】
（第２実施形態）
次に、図５を参照して、本発明の第２実施形態を説明する。
図５は、本発明の第２実施形態を示している。図５は、図４に示す圧力低減部材１５０とは構造の異なる圧力低減部材２５０を示しているが、同様の箇所には同じ符号を記してその説明を省略する。
図５に示すように、圧力低減部材２５０は、本体容器２５１と、取り付け用の第２突出部１５２と、３つの仕切り部材１６０を有している。３つの仕切り部材１６０を有しているので、円筒部材１６３は、第１収容室ＳＰ１と、第２収容室ＳＰ２と、第３収容室ＳＰ３を有している。これにより、圧力低減部材２５０では、上部の仕切り部材１６０と、中部の仕切り部材１６０と、そして下部の仕切り下部１６０を、ある時間ごとに順次Ｔ方向にスライドすることで、止血器具１のバルーン５と補助バルーン６から一定量の空気を、一定空間の第１収容室ＳＰ１と、第２収容室ＳＰ２と、第３収容室ＳＰ３内に少しずつ安全に抜くことができる。
【００５２】
従って、圧力低減部材２５０の第１収容室ＳＰ１と第２収容室ＳＰ２と第３収容室ＳＰ３は、接続時の止血用の圧迫力により収容容積が変動することが無い一定の収容容積を有しているので、シリンジを用いる場合に比べて、圧力低減量が変動しない。止血器具１を用いて穿刺部位１００の止血を行う場合に、術者は、止血器具１における定期的な圧迫力の低減を数時間かけて行いながら、穿刺部位１００に対する圧迫力の低減を数時間かけておこなうことができ、急激な圧迫力の低減や再出血を生じるおそれが無く、安全にかつ簡単に圧迫力の低減を行いながら、穿刺部位１００の止血をすることができる。
【００５３】
（第３実施形態）
次に、図６を参照して、本発明の第３実施形態を説明する。
図６は、本発明の第３実施形態を示している。図６は、図４に示す圧力低減部材２５０と同じ構造の圧力低減部材２５０を示している。図６では、袋体５２のコネクタ３６０が、図３に示すコネクタ６０とは異なり、第１コネクタ部分３６１と、第２コネクタ部分３６２を有している。
【００５４】
図６に示す第１コネクタ部分３６１は、図３に示すコネクタ６０と同様の構造であるので、同じ符号を記してその説明を省略する。
図６に示す第２コネクタ部分３６２は、内周面部分４６１を有しており、内周面部分４６１には、図６に示す流体供給部材としてのシリンジ２００の第１突出部２０４を差し込むようになっている。シリンジ２００の第１突出部２０４が内周面部分４６１内に差し込まれると、弁体７０がＤ方向に開くことで、内周面部分４６１内の流体（空気）の通路４７７には空気が通るようになっている。
このように、袋体５２のコネクタ３６０は、第１コネクタ部分３６１と、第２コネクタ部分３６２を用いて、圧力低減部材２５０とシリンジ２００を同時に差し込んで保持することができるので、シリンジ２００と圧力低減部材３５０の差し替え作業が不要になることから、圧迫力の付与操作と圧迫力の段階的な低減処置がより容易になる。
なお、各コネクタに対して、圧力低減部材２５０とシリンジ２００が、それぞれ固定的に接続されていてもよい。
【００５５】
上述したように、本発明の実施形態の止血器具１は、肢体の止血すべき部位に巻き付けて固定される帯体２と、帯体２に連結されており、流体を注入することで拡張して部位の止血のための圧迫力を部位に与える拡張部材としてのバルーン５（補助バルーン６）と、拡張部材の圧迫力を低減する際に拡張部材内の一定量の流体を抜く圧力低減部材１５０と、流体供給部材の例としてのシリンジ２００と、を備える。この圧力低減部材１５０は、一定量の流体を収容するための収容室（例えば第１収容室ＳＰ１、第２収容室ＳＰ２）を有する本体容器１５１と、拡張部材５（６）と収容室を仕切っており、移動されることで拡張部材と収容室をつなげて拡張部材内の流体を収容室に導くことで拡張部材の圧迫力を低減するための仕切り部材１６０とを有する。
これにより、術者は、止血器具を用いて止血すべき部位の止血を行う場合に、拡張部材から一定量の流体を収容室側に抜くことで、拡張部材による定期的な圧迫力の低減を時間かけて行うことができる。このため、止血すべき部位に対する圧迫力の低減を時間かけておこなうことができる。従って、急激な圧迫力の低減や再出血を生じるおそれが無く、肢体の止血すべき部位を圧迫している際に、安全にかつ簡単に圧迫力の低減を行うことができる。
【００５６】
圧力低減部材１５０は、複数の収容室（例えば第１収容室ＳＰ１、第２収容室ＳＰ２）と、拡張部材としてのバルーン５（補助バルーン６）と拡張部材に最も近い位置にある収容室との間を仕切るための仕切り部材１６０と、各収容室同士の間を仕切るための仕切り部材１６０と、を有する。
これにより、圧力低減部材は、複数の収容室を有しているので、拡張部材と拡張部材に最も近い位置にある収容室との間を仕切るための仕切り部材と、各収容室同士の間を仕切るための仕切り部材を、時間をおいて順次移動することで、肢体の止血すべき部位の圧迫力を少しずつ容易に低減することができる。
【００５７】
圧力低減部材１５０は、収容室から突出して形成された第２突出部１５２を有し、拡張部材側にはコネクタ６０が連結されており、コネクタ６０内には、圧力低減部材の第２突出部１５２が着脱可能に挿入して接続される。
これにより、圧力低減部材の第２突出部をコネクタ内にはめ込むだけで、圧力低減部材を拡張部材側に連結することができ、圧力低減部材の装着が容易にできる。そのため、術者は、拡張部材による止血すべき部位への圧迫力の低減を容易にすることができる。
【００５８】
図４に示すように、コネクタ６０内には、流体の通路を閉じている弁体７０を有しており、圧力低減部材の突出部１５２がコネクタ６０内に挿入して接続されると、第２突出部１５２により弁体７０が押されてコネクタ６０内の流体の通路７７を開くようになっている。
これにより、第２突出部がコネクタ内に挿入して接続されるだけで、コネクタ内の流体の通路を開くことができ、仕切り部材を移動すれば、拡張部材内の流体は、コネクタを通じて圧力低減部材側にコネクタ内の流体の通路を通じて出すことができる。
【００５９】
図６に示すように、コネクタ３６０は、圧力低減部材２５０の第２突出部１５２を固定的に接続するか、あるいは、図示のように着脱可能に接続する第１コネクタ部分３６１と、拡張部材に流体を注入して拡張部材を拡張させる流体供給部材としてのシリンジ２００の第１突出部２０４を固定的に接続するか、あるいは、図示のように着脱可能に接続する第２コネクタ部分３６２を有する。
これにより、圧力低減部材２５０とシリンジ２００を同時に差し込んで保持することができるので、流体供給部材と圧力低減部材の差し替え作業が不要になることから、圧力低減処置が容易に行える。
【００６０】
仕切り部材１６０は、圧力低減部材の外側へ引き出されると、拡張部材と収容室の間を仕切っている状態、あるいは各収容室同士の間を仕切っている状態を解除するようになっている。
これにより、術者は、仕切り部材を圧力低減部材の外側に引き出すだけで、拡張部材と収容室の間を仕切っている状態、あるいは各収容室同士の間を仕切っている状態を解除できるので、圧迫力低減処置が容易に行える。
【００６１】
（第４実施形態）
図７は、本発明の第４実施形態を示している。
図７（Ａ）には、圧力低減部材１５０の別の例では、仕切り部材が設けられていない例である。図７（Ｂ）は、シリンジ２００の別の例を示しており、シリンジ２００の先端部２９０には、アタッチメントとしての取付部材２９１が着脱可能に取り付けられている。同様にして、図７（Ｃ）には、圧力低減部材１５０を示しており、この圧力低減部材１５０の先端部１５０Ｓには、同じ構造の取付部材２９１が着脱可能に取り付けられている。このように、シリンジ２００の先端部２９０と圧力低減部材１５０の先端部１５０Ｓには、共通した取付部材２９１を取り付けて、この取付部材２９１を用いて、袋体５２のコネクタ６０内に対して接続できる。
これにより、シリンジ２００の先端部２９０と圧力低減部材１５０の先端部１５０Ｓは、特別な取付部材２９１を用いて袋体５２のコネクタ６０に接続できるので、他の器具をコネクタ６０に誤って接続してしまう誤接続を防止できる。しかも、取付部材２９１の角部２９２がコネクタ６０の内部６０Ｒに当接することで、流体の漏れを防ぐことができる。また、取付部材２９１の先端部２９３が弁体７０の奥まで挿入されることで、弁体７０が開くようになっている。
その他の構成は、第１の実施形態と同じである。
【００６２】
なお、本発明の弁体７０は、上述の第１実施形態〜第４実施形態に限定されるものではなく、コネクタ内の流体の通路を開閉する開閉部材と金属等のスプリング部材とにより構成されていてもよい。この場合、弁体は、スプリング部材を圧縮した際に生じる復元力を利用して、コネクタ内の流体の通路の開閉を制御している。例えば、弁体は、通常はコネクタ内の流体の通路を閉じており、流体（空気）を通さない構造になっている。そして、術者が、流体供給部材又は圧力低減部材の突出部（第１突出部又は第２突出部）をコネクタ内に差し込むことで、スプリング部材が圧縮されて開閉部材が移動し、コネクタ内の流体の通路が開くように構成されている。また、弁体は、流体供給部材又は圧力低減部材の突出部（第１突出部又は第２突出部）をコネクタ内から引き抜くと、スプリング部材の復元力により開閉部材が移動し、コネクタ内の流体の流路が閉じるように構成されている。
【００６３】
本発明は、上記実施形態に限定されず、特許請求の範囲を逸脱しない範囲で種々の変更を行うことができる。
上記実施形態の各構成は、その一部を省略したり、上記とは異なるように任意に組み合わせることができる。
例えば、バルーン５と補助バルーン６に注入する流体としては、空気に限らず例えば窒素やその他の気体や液体であっても良い。
図示例では、圧力低減部材１５０，２５０は、２つあるいは３つの仕切り部材１６０を有しているが、別の例の圧力低減部材では、１つあるいは４つ以上の仕切り部材１６０を備えるようにしても良い。また、圧力低減部材は、例えばスポイトのような柔軟性を有するプラスチックボトル容器等であっても良い。
【符号の説明】
【００６４】
１・・・止血器具、２・・・帯体、３・・・面ファスナー、４・・・補強板、５・・・バルーン（拡張部材の例）、６・・・補助バルーン（拡張部材の例）、７・・・マーカー、７７・・・コネクタ内の流体の通路、１００・・・肢体の穿刺部位、１５０，２５０・・・圧力低減部材、１５１・・・圧力低減部材の本体容器、１５２・・・圧力低減部材の第２突出部、１５３・・・圧力低減部材の円筒部分、１６０・・・仕切り部材、２００・・・シリンジ（流体供給部材の例）、２０２・・・シリンジの流体供給部、２０４・・・シリンジの第１突出部、Ｈ・・・手首、ＳＰ１、ＳＰ２、ＳＰ３・・・圧力低減部材の収容室
【図１】
2015188608.tif 000003
【図２】
2015188608.tif 000004
【図３】
2015188608.tif 000005
【図４】
2015188608.tif 000006
【図５】
2015188608.tif 000007
【図６】
2015188608.tif 000008
【図７】
2015188608.tif 000009